(57)【特許請求の範囲】
【請求項１】
内部に釣糸挿通路を有する中通し竿であって、
先端部に糸導出部が設けられ後端部に係止部が設けられた穂先竿と、
前記釣糸挿通路に釣糸を導入するための糸導入部を有する元竿と、
後端が前記糸導入部付近に位置するように前記元竿の先端に嵌合可能で、かつ前記穂先竿を内部に収納可能であり、前記係止部が係止可能な係止受部を後端に有する中竿とを備え、
前記係止部と前記係止受部とは前記穂先竿と前記中竿とがある相対角度位置で係止し、他の角度位置では係止解除可能である、
中通し竿。
【請求項２】
前記穂先竿は前記係止部が形成された第１尻栓を後端に有している、請求項１に記載の中通し竿。
【請求項３】
前記中竿は前記係止受部が形成された第２尻栓を後端に有している、請求項１又は２に記載の中通し竿。
【請求項４】
前記係止受部は前記中竿の軸に対して８０〜１００°の角度をなして形成されている、請求項１から３のいずれか１項に記載の中通し竿。
【請求項５】
前記中竿の後端に設けられ、前記係止受部が形成された第２尻栓後端の内径は、前記穂先竿の後端に設けられ、前記係止部が形成された第１尻栓後端の外径より小さい、請求項１に記載の中通し竿。
【発明の詳細な説明】
【０００１】
【発明の属する技術分野】
本発明は、中通し竿、特に、内部に釣糸挿通路を有する中通し竿に関する。
【０００２】
【従来の技術】
従来の中通し竿は、竿体内部に釣糸の挿通路を有する穂先竿及び中竿と、中竿の竿元側が連結される元竿とを有している。元竿の外周にはリールが固定されるようになっており、リール取り付け位置の先端側には釣糸挿通路内に釣糸を導入するための糸導入部が形成されている。また、穂先竿の先端には釣糸を外部に導き出すための糸導出部が設けられている。
【０００３】
このような中通し竿では、リールからの釣糸は糸導入部を通して中竿及び穂先竿内部の糸挿通路に導入され、穂先竿先端の糸導出部から外部に導出される。
【０００４】
この種の中通し竿において、釣糸を糸導入部を通して釣糸挿通路に導入し、さらに糸導出部から取り出すために糸通し具が用いられる。一般に糸通し具は、複数の素線をよって形成されたワイヤで形成されている。ワイヤの長さは、収納時の糸導入部から糸導出部までの長さより長くなっており、ワイヤの後端に釣糸を係止する糸止め部が設けられている。
【０００５】
このような糸通し具を用いて中通し竿に釣糸を通す場合は、まず、糸通し具の糸止め部に釣糸を係止する。次に、糸通し具の先端を糸導入部から内部の釣糸挿通路に挿入する。そして、糸通し具を押すことで穂先側に送っていき、糸通し具の先端を穂先竿の糸導出部から外部に導出する。その後、糸通し具の先端を外部から引っ張り、糸止め部に係止されている釣糸を糸導出部から導出する。
【０００６】
【発明が解決しようとする課題】
このような糸通し具を用いて釣糸を釣糸挿通路に挿通させる場合、糸通し具の先端部が釣糸挿通路に入らずに、穂先竿の後端部に当たって穂先竿が前方へずれてしまうことがある。このため、穂先竿と元竿とを動かないように手で押さえながら糸通しをしなければならず極めて面倒である。
【０００７】
本発明の目的は、竿内部に釣糸を通す際に、穂先竿の元竿に対する軸方向への移動を規制することのできる中通し竿を提供することにある。
【０００８】
【課題を解決するための手段】
請求項１に係る中通し竿は、内部に釣糸挿通路を有するものであり、穂先竿と元竿と中竿とを有している。穂先竿は、先端部に糸導出部が設けられ後端部に係止部が設けられている。元竿は、内部の釣糸挿通路に釣糸を導入するための糸導入部を有している。中竿は、後端が糸導入部付近に位置するように元竿の先端に嵌合可能で、かつ穂先竿を内部に収納可能であり、係止部が係止可能な係止受部を後端に有している。そして、係止部と係止受部とは穂先竿と中竿とがある相対角度位置で係止し、他の角度位置では係止解除可能である。
【０００９】
この中通し竿では、糸通しを行う場合、まず、中竿の後端が元竿の糸導入部付近に位置するように嵌合された状態で、穂先竿を中竿内に収納する。このとき、穂先竿と中竿とがある相対角度になると、穂先竿後端部の係止部は中竿後端部の係止受部に係止される。また、この係止状態を解除する場合は、穂先竿を周方向に回転させると、穂先竿と中竿との相対角度位置がずれて、係止部と係止受部との係止が解除される。
【００１０】
ここでは、穂先竿を中竿内に収納すると、穂先竿は中竿に係止されて軸方向の移動が規制されるため、釣糸を挿通させる際に穂先竿を手で押さえる必要がない。また、この規制を解除するには、穂先竿を周方向に回転させればよく、容易に係止解除させることができる。
【００１４】
請求項２に係る中通し竿は、請求項１の中通し竿において、穂先竿は後端に第１尻栓を有し、係止部は第１尻栓に形成されている。
【００１５】
この中通し竿では、穂先竿は、係止部を備えた第１尻栓を有しているため、穂先竿本体に係止部を設ける必要がなく、容易に係止部を得ることができる。
【００１６】
請求項３に係る中通し竿は、請求項１又は２のいずれかの中通し竿において、第１中竿の後端部は係止受部が形成された第２尻栓を有している。
【００１７】
この中通し竿では、中竿は、係止受部を備えた第２尻栓を有しているため、中竿本体に係止受部を設けなくとも、別部材の第２尻栓を用いて容易に係止受部を得ることができる。
【００１８】
請求項４に係る中通し竿は、請求項１から３のいずれかの中通し竿において、係止受部は中竿の軸に対して８０〜１００°の角度をなして形成されている。
【００１９】
この中通し竿では、係止受部は中竿の軸に対し、８０〜１００°の角度をなしてほぼ垂直に形成されているため、軸方向の衝撃、振動により係止部と係止受部との係止が解除されるのを抑えることができる。
【００２０】
請求項５に係る中通し竿は、請求項１の中通し竿において、前記中竿の後端に設けられ、前記係止受部が形成された第２尻栓後端の内径は、前記穂先竿の後端に設けられ、前記係止部が形成された第１尻栓後端の外径より小さく形成されている。
【００２１】
この中通し竿では、第２尻栓後端の内径は第１尻栓後端の外径より小さいため穂先竿後端が中竿後端を通過して元竿側に移動することがない。これにより、竿先を上方に向けた状態でも糸通しを行うことができる。
【００２２】
【発明の実施の形態】
［第１実施形態］
本発明の第１実施形態が採用される中通し竿を図１及び２に示す。
【００２３】
この実施形態に係る中通し竿は、穂先竿１１、第２中竿１２、第１中竿１３及び元竿１を有している。４本の竿１１，１２，１３，１はすべてが振り出し形式で連結され、収納時には、穂先竿１１及び２本の中竿１２，１３は元竿１の内部に収納可能である。また、各竿１，１１〜１３は僅かに先細りの筒状に形成されている。また、３本の竿１１〜１３の内部には、釣糸Ｌが挿通される釣糸挿通路Ｐが形成されている。
【００２４】
穂先竿１１は、先端にトップガイド１０を有し、後端に第１尻栓１５を有している。トップガイド１０の先端には、釣糸Ｌを外部に導出するための糸導出部１１ａが形成されている。第１尻栓１５は穂先竿１１の後端に着脱自在に螺合されている。第１尻栓１５は、樹脂で形成されており、図３に示されるように、穂先竿１１の後端部に螺合するねじ部１５ｂと、係止部１５ａとなる小判形状の部分とを有している。また、これらを貫通する釣糸挿通用の貫通孔１５ｃが形成されている。
【００２５】
第２中竿１２は、穂先竿１１の後端が先端に嵌合可能であり、かつ穂先竿１１を内部に収納可能となっている。第１中竿１３は、第２中竿１２の後端が先端に嵌合可能であり、かつ第２中竿１２を内部に収納可能となっている。なお、中竿の竿体の数は２本に限定されるものはでなく、１本であっても３本以上有していてもよい。
【００２６】
第１中竿１３の後端には第２尻栓１７が着脱自在に螺合されている。第２尻栓１７は、樹脂で形成されており、図４に示されるように、第１中竿１３の後端部に螺合する筒状のねじ部１７ｂと、小判形状の孔１７ｃが形成された係止受部１７ａとを有している。そして、係止受部１７ａは、図５に示されるように、第１中竿１３の中心部に向かって突出し、穂先竿１１の係止部１５ａを係止する係止面１７ｅを有しており、第１中竿１３の中心軸ｌとのなす角度θが８０〜１００°になるように形成されている。これにより、係止部１５ａが係止受部１７ａに係止された場合、外部から軸方向に衝撃、振動を与えられても、係止部１５ａは係止受部１７ａから外れにくくなる。なお、８０°未満では外れやすくなり、１００°を超えると外すのが困難になる。
【００２７】
また、第２尻栓１７は、後端部に貫通孔１７ｄを有しており、その内径が第１尻栓１５後端の外径より小さく形成されている。これにより、穂先竿１１は第１中竿１３の後端より竿元側へは移動せず、竿先を上方に向けた場合でも、穂先竿１１が第１中竿１３を通過して竿元側に落下することはない。穂先竿１１後端が元竿の糸導入部５を塞ぐことがない。なお、中竿の竿体が１本である場合は、第２尻栓１７はその１本の竿体に、また、３本以上である場合は、最も元竿１側の竿体に取り付けられる。これにより、穂先竿１１は、最も元竿１寄りの竿体に係止され、釣糸挿通路Ｐの入口を糸導入部５（後述）の近傍に配置することができる。
【００２８】
元竿１は、竿元側の外周面に、リール３が装着されるリールシート４を有している。また、元竿１の先端部（穂先側）にはリール３からの釣糸Ｌを竿内部に導入するための糸導入部５が形成されている。この先端部は、第１中竿１３の後端部が嵌合されて連結可能となっている。なお、釣糸挿通路Ｐ、糸導入部５及び糸導出部１１ａの開口端縁には、セラミック製のガイドリングが設けられている。
【００２９】
この中通し竿は、前述のように、収納時は穂先竿１１及び２本の中竿１２，１３は元竿１内部に収納される。
【００３０】
この状態から釣糸を挿通させる場合は、穂先竿１１及び第２中竿１２を第１中竿１３内部に収納した状態で元竿１から引き出し、第１中竿１３の後端部を元竿１の先端部に嵌合させる。
【００３１】
次に穂先竿１１の先端を把持し、第１中竿１３の内部に軽く押し込みながら回転させる。すると、穂先竿１１の後端に設けられた係止部１５ａが回転する。この係止部１５ａと第１中竿１３の後端部に設けられた係止受部１７ａの孔１７ｃとが図６の実線で示すように位置すると、係止部１５ａは孔１７ｃを通過し、奥側に入り込む。この状態で穂先竿１１を回転させると、図６の破線で示すように、係止部１５ａと孔１７ｃとが一致しなくなり、係止部１５ａと係止受部１７ａとが係止した状態となる。
【００３２】
このような係止状態では、穂先竿１１の回転軸方向の移動が規制される。また、穂先竿１１の後端部は、元竿１の糸導入部５近傍に位置している。この状態で、穂先を下方に向け、糸導入部５から糸通し具を用いて釣糸を挿入し、第１中竿１３の後端部の貫通孔１５ｃを通して穂先竿１１の釣糸挿通路Ｐに釣糸Ｌを導出する。
【００３３】
次に、係止部１５ａと係止受部１７ａとの係止を解除する場合は、穂先竿１１を穂先側に軽く引っ張りながら周方向に回転させると、係止受部１７ａの孔１７ｃと係止部１５ａとが一致し孔１７ｃを通過する。これにより、係止部１５ａと係止受部１７ａとの係止が解除される。そして、穂先竿１１を穂先方向に引っ張ると、穂先竿１１後端は第２中竿１２の先端に嵌合され、使用状態にすることができる。
【００３４】
［第２実施形態］
以下、本発明の第２実施形態について説明する。ここでは、特に、第１実施形態との相違点に注目して説明する。
【００３５】
この実施形態の中通し竿は、穂先竿１１、第２中竿１２、第１中竿１３及び元竿１を有している。
【００３６】
穂先竿１１には、先端部外周面の全周にリング状に突出する係止部１５ａが設けられている。係止部１５ａは、樹脂で形成されており、形状は特に限定されず、点状の係止部が周方向に並べて設けられたもの、あるいは、外周面に螺旋状に突出して形成されたものであってもよい。この係止部１５ａは、第２中竿１２に収納されると、第２中竿１２内周面に設けられた後述する係止受部１７ａに係止される。
【００３７】
第２中竿１２も穂先竿１１と同様、外周面に係止部２５ａが設けられており、第１中竿１３内周面に設けられた係止受部２７ａに係止可能となっている。
【００３８】
各係止受部１７ａ，２７ａは、第２中竿１２、第１中竿１３の内周面にそれぞれ設けられており、また、穂先竿１１、第２中竿１２がそれぞれ第２中竿１２、第１中竿１３に収納されたときの各係止部１５ａ，２５ａの位置と対応する付近の内周面全周方向にリング状に突出して軸方向に並べられて設けられている。係止受部１７ａ，２７ａの形状は特に限定されるものではなく、点状の係止受部が周方向に並べて設けられたもの、あるいは、外周面に螺旋状に突出して形成されたものであってもよい。リング状の係止受部１７ａが軸方向に並べて設けられたものであってもよい。各係止受部１７ａ，２７ａはこのような形状をしているため、軸方向に隣り合う係止受部１７ａ、１７ａ及び２７ａ，２７ａ間には、各係止部１５ａ，２５ａが係止される程度の大きさの間隙１７ｆ、２７ｂが形成されている。
【００３９】
この中通し竿は、収納時は穂先竿１１及び２本の中竿１２，１３は元竿１内部に収納されている。
【００４０】
この状態から釣糸を挿通させる場合は、穂先竿１１及び第２中竿１２を第１中竿１３内部に収納した状態で元竿１から引き出し、第１中竿１３の後端部を元竿１の先端部に嵌合させる。
【００４１】
このとき、すなわち、穂先竿１１、第２中竿１２がそれぞれ第２中竿１２、第１中竿１３に収納されているとき、係止部１５ａ，２５ａの位置と対応する付近には係止受部１７ａ、２７ａが設けられているため、穂先竿１１の係止部１５ａは、第２中竿１２の係止受部１７ａに係止可能である。また同様に、第２中竿１２の係止部２７ａは、第１中竿１３の係止受部２７ｂに係止可能である。
【００４２】
このような係止状態では、穂先竿１１の軸方向の移動が規制される。また、穂先竿１１の後端部は、元竿１の糸導入部５近傍に位置している。この状態で、穂先を下方に向け、糸導入部５から糸通し具を用いて釣糸Ｌを挿入し、第１中竿１３の後端部、穂先竿１１の後端部を通して穂先竿１１の後端を通して穂先竿１１の釣糸挿通路Ｐに釣糸を挿通させる。そして、糸導出部から釣糸Ｌを導出する。
【００４３】
次に、各係止部１５ａ，２５ａと各係止受部１７ａ，２７ａとの係止を解除する場合は、穂先を下方に向け竿元側を支点にして穂先側を軽く上下に揺さぶる。すると、各係止部１５ａ，２５ａは、各係止受部１７ａ，２７ａとの係止、係止解除を繰り返しながら徐々に穂先側へ移動する。すなわち、穂先竿１１は第２中竿１２に対し、第２中竿１２は第１中竿１３に対し穂先側へ相対移動する。そして、各係止部１５ａ，２５ａの各係止受部１７ａ，２７ａに対する係止が解除されると、穂先竿１１及び第２中竿１２は軸方向に移動自在となり、穂先竿１１及び第２中竿１２を穂先側に引っ張ることにより、穂先竿１１及び第２中竿１２の後端は、第２中竿及び第１中竿１３の先端にそれぞれ嵌合され、使用状態にすることができる。
【００４４】
なお、この実施形態の係止部１５ａ，１７ａは、第１実施形態で採用された第１及び第２尻栓１５，１７を有する中通し竿に適用することも可能である。すなわち、穂先竿１１には外周面に係止部１５ａが、後端に第１尻栓１５が取り付けられ、第２中竿１２には外周面に係止部２５ａが、内周面に係止受部１７ａが、第１中竿１３には内周面に係止受部２７ａ、後端に第２尻栓１７が取り付けられていてもよい。この場合では、穂先竿１１はより確実に糸導入部５付近に係止されることとなる。
【００４５】
また、本発明において係止部１５ａ及び係止受部１７ａの材質は樹脂に限定されるものではなく、ゴム、金属等であってもよい。
【００４６】
【発明の効果】
本発明の中通し竿によれば、穂先竿後端を糸導入部付近に位置させることができるため、穂先竿を手で押さえなくとも容易に糸通しを行うことができる。また、この係止状態は、穂先竿を回転又は振動させることにより容易に解除することができる。
【図面の簡単な説明】
【図１】本発明の一実施形態が採用された中通し竿の側面図。
【図２】前記中通し竿の要部縦断面図。
【図３】前記中通し竿の係止部の斜視図。
【図４】前記中通し竿の係止受部の斜視図。
【図５】前記中通し竿の係止部の縦断面図。
【図６】前記係止部及び係止受部の係止及び係止解除機構を示す説明図。
【図７】他の実施形態が採用された中通し竿の要部縦断面図。
【符号の説明】
１  元竿
５  糸導入部
１１ａ  糸導出部
１１  穂先竿
１２  第２中竿
１３  第１中竿
１５  第１尻栓
１５ａ  係止部
１７  第２尻栓
１７ａ  係止受部
Ｌ  釣糸
Ｐ  糸挿通路
【図１】
0004129967.tif 000002
【図２】
0004129967.tif 000003
【図３】
0004129967.tif 000004
【図４】
0004129967.tif 000005
【図５】
0004129967.tif 000006
【図６】
0004129967.tif 000007
【図７】
0004129967.tif 000008